Podtech/llm-jp-corpus-v4-ja_patent huggingface dataset:
(57)【要約】本発明は、肺の胸腔における液体蓄積（胸膜滲出）または空気蓄積（気胸）の場合に胸膜癒着術において使用されるさらなる細胞傷害効果を有する化学剤としてのゼオライトの使用に関する。【選択図】なし【特許請求の範囲】
【請求項１】
気胸および／または胸膜滲出の場合に実施される胸膜癒着術の処置において化学剤として使用される種類のゼオライト。
【請求項２】
肺がんに続発する胸膜滲出および／または気胸において実施される胸膜癒着術の処置において胸膜癒着術化学剤および細胞傷害剤の両方の効果を示す水和ケイ酸アルミニウムの形態の種類のゼオライト。
【請求項３】
カテーテルを使用して胸腔内に導入される、請求項１または２に記載の懸濁液の形態の種類のゼオライト。
【請求項４】
エアロゾルチューブを使用して胸腔内に導入される、請求項１または２に記載の粉末形態の種類のゼオライト。
【発明の詳細な説明】
【技術分野】
【０００１】
本発明は、肺の胸腔における液体蓄積（胸膜滲出）または空気蓄積（気胸）の場合に実施される胸膜癒着術に使用されるゼオライトに関する。
【背景技術】
【０００２】
気胸は、肺周囲の内臓と壁側胸膜との間の空気の蓄積である。既存の肺疾患を有する個体が気胸を発症する場合、それは続発性自然気胸と呼ばれる。胸膜癒着術は、胸腔チューブまたは胸腔鏡を介して硬化剤を胸腔に導入することによって達成される壁側胸膜および臓側胸膜の接着により胸腔をなくす医療処置である。胸膜癒着術は胸膜滲出および気胸の再発を予防し、肺の十分な拡張を達成することを目的とする。胸腔チューブ挿入ができないとき、胸膜癒着術は低い再発率で安全に実施され得る。それはまた、しばしば、肺がん症例において必要とされる。
【０００３】
種々の薬剤が胸膜癒着術のために使用される。それらの薬剤の中で、滅菌タルク粉末が最も広範に使用されているものである。それは１９３５年にＮｏｒｍａｎ  Ｂｅｔｈｕｎｅとう名前の外科医によって最初に使用された（非特許文献１）。滅菌して調製され、通常、４グラムであるように配合されるタルク粉末は、胸部手術において専門医によって胸膜に投与される。２種類のタルク粉末の投与が存在する。第１の種類はカテーテルを使用した胸腔への懸濁液中の４グラムの滅菌タルク粉末の導入であり、第２の方法は、カニューレを使用して胸膜内に、圧力容器において調製したエアロゾルのタルク粉末を噴霧することを含む。
【先行技術文献】
【非特許文献】
【０００４】
【非特許文献１】Ｊａｎｓｓｅｎ，ＪＰ．，Ｃｏｌｌｉｅｒ，Ｇ．，Ａｓｔｏｕｌ，Ｐ．，Ｔａｓｓｉ，ＧＦ．，Ｎｏｐｐｅｎ，Ｍ．，Ｐａｎａｄｅｒｏ−Ｒｏｄｒｉｇｕｅｚ，Ｆ．，Ｌｏｄｄｅｎｋｅｍｐｅｒ，Ｒ．，Ｈｅｒｔｈ，ＦＪＦ．，Ｇａｓｐａｒｉｎｉ  Ｓ．，Ｍａｒｑｕｅｔｔｅ，ＣＨ．，Ｂｅｃｋｅ，Ｂ．，Ｆｒｏｕｄａｒａｋｉｓ，ＭＦ．，Ｄｒｉｅｓｅｎ，Ｐ．，Ｂｏｌｌｉｇｅｒ，ＣＴ．，Ｔｓｃｈｏｐｐ，ＪＭ．：Ｓａｆｅｔｙ  ｏｆ  Ｐｌｅｕｒｏｄｅｓｉｓ  ｗｉｔｈ  ｔａｌｃ  ｐｏｕｄｒａｇｅ  ｉｎ  ｍａｌｉｇｎａｎｔ  ｐｌｅｕｒａｌ  ｅｆｆｕｓｉｏｎ：ａ  ｐｒｏｓｐｅｃｔｉｖｅ  ｃｏｈｏｒｔ  ｓｔｕｄｙ．Ｌａｎｃｅｔ，３６９：１５３５−３９，２００７
【発明の概要】
【発明が解決しようとする課題】
【０００５】
本発明の目的は、胸膜滲出および気胸のような肺疾患の治療のための胸膜癒着術において異なる種類のゼオライトの使用を可能にすることである。
【０００６】
本発明の別の目的は、胸膜癒着術における薬剤として粉末ゼオライトを使用することである。
【０００７】
本発明のさらに別の目的は、がん細胞に対するゼオライトの細胞傷害効果を使用することである。
【課題を解決するための手段】
【０００８】
本発明は、気胸および／または胸膜滲出において実施される胸膜癒着術の処置における化学剤としてのゼオライトの使用に関する。本発明の目的を実現するために、合成ゼオライト（ゼオライトＸおよびゼオライトＹ）および／または天然ゼオライト（クリノプチロライト（ｃｌｉｎｏｐｔｉｌｉｔｅ））が使用され得る。
【発明を実施するための形態】
【０００９】
その細胞傷害効果に起因して、ゼオライトはまた、肺がん症例の投与部位においてがん細胞を殺傷する。このように、それは、肺がんに続発する胸膜滲出および／または気胸の治療において、ならびに肺がん自体の治療において胸膜癒着術化学剤および細胞傷害剤の両方としての二重効果を有する。鉱物起源である関連するゼオライトの化学組成は水和ケイ酸アルミニウムである。
【００１０】
本発明の好ましい実施形態は、カテーテルを介して胸腔内に粉末ゼオライト懸濁液を導入することである。最も好ましくは、粉末ゼオライト粒子の直径は約２０マイクロメートルである。
【００１１】
本発明の別の実施形態において、粉末ゼオライト物質は、胸膜癒着術の間にエアロゾルチューブを介して胸腔内に噴霧される。
【国際調査報告】
2018532754.tif 000002
2018532754.tif 000003
(57)【要約】本発明は、ヒートシンクに取り付けられた1又はそれ以上のLEDを有するLED光源から放射された光をリサイクルする装置である。本装置は、出力端部より小さい入力端部をもつ、矩形または円形のテーパー状光管が含まれる。LEDは、入力端部に接続されている。出力端部は、反射内面をもつ中空トンネルに接続され、中空トンネルの他端は、中空トンネルの内部表面に向けられた鏡によって覆われている。鏡は、中央部に設けられた出力アパーチャと、LEDから放射された光を出力アパーチャに導く反射内面を有する。鏡は、LEDから放射された光の一部であって出力アパーチャが存在しない部分の光を反射し、それによって、光りをリサイクルし、出力アパーチャを通して放射される光の輝度が向上する。
2018510448.tif 000002
【特許請求の範囲】
【請求項１】
LED光源から放射された光をリサイクルする装置であって、ヒートシンク上に取り付けられた1又はそれ以上のLEDと、入力端部および出力端部をもつテーパー状の光管であって、前記入力端部は前記出力端部より小さく、前記出力端部は小さなエリアをもつ前記入力端部から出力される光を変換し、大きなエリアをもつ前記出力端部に対する大きな角度を、小さな角度に変換し、前記テーパー状の光管は長方形または円形であり、前記出力端部は平面または凸面であり、前記1又はそれ以上のLEDは前記入力端部に接続された、テーパー状の光管と、反射する内部表面を有する中空のライトトンネルであって、一方の端部が前記光管の前記出力端部に接続され、鏡に覆われた第二の端部は、前記中空のライトトンネルの内部表面に向けられており、前記鏡は、前記鏡の中央付近に出力アパーチャを有する、中空のライトトンネルと、を備え、前記反射する内部表面は、前記1又はそれ以上のLEDから放射された光を前記出力アパーチャに誘導し、前記鏡は、前記1又はそれ以上のLEDから放射された当該の光の一部であって前記出力アパーチャが存在しない部分の光を、前記中空の光管、前記テーパー状の光管および前記光源へ反射し、これにより前記光をリサイクルし、前記リサイクルされた光が前記放射された光と組み合わされ、これにより前記出力アパーチャを通って放射される光の輝度を向上させる装置。
【発明の詳細な説明】
【技術分野】
【０００１】
発明者：ケネス・リー 
【０００２】
特許請求の範囲：
LEDの輝度を向上させるために、LEDチップに戻る光のリサイクリル方法を用いる。様々なレベルの費用および困難さを伴う多数の方法が、用いられてきた。本発明では、簡潔で対費用効果の高いリサイクル方法として、固体で中空の光管の組み合わせが用いられる。
【図面の簡単な説明】
【０００３】
図1は、本発明の実施形態を示している。それは、ヒートシンクに搭載された1つ以上のLEDからなる光源を含んでいる。光源の出力は、より大きいエリアを有する出力端部をもつテーパー状の光管（TLP）の入力端部に接続される。TLPの断面は、正方形、長方形、円、またはその他の形とすることができる。TLPは、小さいエリアからの光を、入力部では大きいエリアに向けて大きい角度に変形させ、出力部では小さい角度に変形させる。TLPの出力面は平面であってもよいが、より効果的な変形のために、TLPの出力面は凸面状とされる。TLPの出力部は、反射する内壁をもつ中空の光管に接続される。中空の光管は、光を出力端部に向けて誘導する。出力端部では、リサイクルのために、光の一部を中空の光管、TLPおよび光源に戻すために反射させる鏡が使われる。反射されなかった光は、システムの出力部であるアパーチャを通って出る。出力アパーチャは、正方形、長方形、円形などとすることができる。反射されて光源に戻された光は、放射された光と一緒に出力部の方に向け直され、システムの輝度が向上する。
【０００４】
図2aは、光結合システムに適用される本発明の実施形態を示している。本システムは、図 1に示すような2又はそれ以上の光リサイクルシステムモジュール（RLSM）を含む。各RLSMは、互いに異なる色のLEDから構成されている。図2aに示すように、それは3つのRLSMから構成されており、1つは赤色、1つは緑色、もう1つは青色である。これらは、3原色であり、組み合わされるとカラーディスプレーを構成する。４つのRLSM、例えば赤色、緑色、青色、そして黄色を使って４色システムを構成することもできる。図2aに示すように、RLSMからの3つの色すべての出力が最小限の損失で済むようにするために、3つのRLSMの出力部は、適切な色を伝達し反射する2つの対角なカラーフィルターから構成されるＸキューブを使って組み合わされる。図2bは、反射面とアパーチャが用いられたＸキューブを示している。反射面とアパーチャは、Ｘキューブの一部として作られても構わないし、RLSMを備えた中空の光管の一部であっても構わない。
【０００５】
図3aは、一緒に組み立てられた2又はそれ以上のRLSMによって、リサイクルとともに合成された出力を作り出す実施形態を示している。図 3aに示されるように、それは、長方形のTLPを備えた4つのRLSMから成る2 x 2のシステムであり、図3bに示されるような端面となる。4つの独立した中空の光管を使用することができる。実用的な実装例では、出力部には、1つのアパーチャとともに1つの中空の光管が使用される。リサイクルの過程では、1つの光管からの光のわずかな部分が隣接した光管に反射されることがあるが、この光は隣接したLEDによってリサイクルされるので問題ない。
【０００６】
TLPは、ガラスまたはプラスチックによって作られることが可能である。それらは、磨かれ、または形成されることができる。端面にARコーティングを追加することができる。
【０００７】
中空の光管は、内側に反射コーティングを施されたガラス、プラスチック、または金属で作られることが可能である。
【０００８】
アパーチャを持つ出力鏡は、ガラス、プラスチック、または金属で作られることが可能である。
【０００９】
テーパー状の光管は、用途の要求に適合するように設計され、光を大きい角度から小さい角度に変換する。
【００１０】
それは、RLSMからの出力がコリメートされ、またはレンズによって発散が変更されることによって、フラッシュライト、サーチライト、またはスポットライトの用途に使用できる。
【００１１】
図2aに示すように、Ｘキューブによって組み合わされた出力は、プロジェクター、エンターテイメントの照明システム、およびスポットライトに使用できる。
【図１】
2018510448.tif 000003
【図２ａ】
2018510448.tif 000004
【図２ｂ】
2018510448.tif 000005
【図３ａ】
2018510448.tif 000006
【図３ｂ】
2018510448.tif 000007
【国際調査報告】
2018510448.tif 000008
(57)【要約】  眼内圧の非侵襲的検出装置であって、被検眼の角膜に係合するための柔軟膜と、張りゲージとを有する圧力チャンバを備え、前記圧力チャンバが内部で加圧されることによって前記角膜と張りゲージの両方に膜組織を介して圧力がかけられ、その結果角膜のたわみと張りゲージにて張りが生じ、これにより眼内圧と張りの間の相互関係を確立することを可能にする、眼内圧の非侵襲的検出装置。
2018510754.tif 000002
【特許請求の範囲】
【請求項１】
柔軟膜（４）を有する少なくとも一つの圧力チャンバ（５）を含む眼内圧の非侵襲的な判定装置であって、前記圧力チャンバ（５）は、チャンバ（１０）に流体を流入させる入口（８）を備え、角膜（２）のたわみにより眼内圧を判定するために、柔軟膜（４）を介して角膜（２）と、張り測定装置（１２）に圧力をかける、眼内圧の非侵襲的な判定装置。
【請求項２】
前記柔軟膜（４）が、前記圧力チャンバ（５）内の内圧変化による張りの判定を行うために前記柔軟膜（４）の外表面に付属されている張りゲージ（４ａ）を有することを特徴とする請求項１に記載の判定装置。
【請求項３】
測定部（６）を備え、この測定部（６）は、前記圧力チャンバ（５）内の内圧変化による張りの判定を行うための干渉法によって照合を可能にするパターンを有する、請求項１または請求項２に記載の判定装置。
【請求項４】
前記柔軟膜（４）が、可視光等の電磁放射線が膜を通過することと、外部手段によって照合するための測定部（６）を通過することとを可能にするために透明であることを特徴とする請求項１ないし３のいずれか一項に記載の判定装置。
【請求項５】
柔軟膜（４）と角膜（２）の接触が、強膜（１）と係合リング（１１）の接触によって向上されており、前記係合リング（１１）は、周縁入口（７）を備え、リング（１４）によって案内されることを特徴とする請求項１ないし４のいずれか一項に記載の判定装置。
【請求項６】
使用時に膜の間に位置付けられるレンズ係合部（１３）を備える請求項１ないし５のいずれか一項に記載の判定装置。
【発明の詳細な説明】
【技術分野】
【０００１】
本発明は、眼内圧（眼球内圧）を測定する装置に関する。
【背景技術】
【０００２】
眼内圧の上昇を測定し発見することは緑内障の徴候を早期発見するための最良の方法である。
【０００３】
眼内圧の非侵襲的検出の従来の方法は、プランジャーを角膜の小面積と係合し平らにすることによる反力の測定、既知の断面図の測定を伴うゴールドマン圧平法を含む。その他の方法は、角膜変形を測定するために空気の噴出を用いるものである。これらの方法の主な欠点は、角膜の放射軸に一直線に配列されないことによる不正確さと、角膜と強膜の間の局所的な剛性差、外力を受けた時の角膜の小面積の局所的な変形による誤差に起因する。
【０００４】
これらの制約により目の眼球領域内の実際の圧力に関して不確かなデータが生成されることが知られている。
【発明の概要】
【０００５】
本発明の目的は、眼内圧を測定するための改良された装置を提供することである。もう一つの目的は従来の方法でなされた解決方法ではなく、上述の制約を解消する解決方法を提供することである。
【０００６】
本発明は、本明細書に続く請求項１によって定義されているように眼内圧を測定する装置を提供する。
【０００７】
本発明の好ましい機能及び／または任意の機能がその他の請求項の対象となっている。
【０００８】
上記に記載の制約を解消する眼内圧の測定の代替案が本発明の主な目的となっており、以下に記載される（下記の例に限定されるものではない）。
【０００９】
従って、本発明は、係合コンタクトレンズを介して角膜に接触するための柔軟膜と、圧力チャンバの反対側に張りを測定するための張り測定部と、備える圧力チャンバを特徴とする圧力測定装置を提供する。角膜のたわみは、外部チャンバの加圧力と眼内圧との差に依存する。チャンバに圧力をかけるための測定された体積の流体を用いて、加圧力と張りとの相互関係が確立される。したがって、特定の範囲の眼内圧の判定を可能にするために、張りと特定の範囲の加圧力との比較が用いられる。このようにして得られた結果は、現行の方法のような単一のデータポイントを使用することに関連するエラーを低減する複数のデータポイントを提供するために使用され得る。このような方法により、上述のとおり、方向性や局所的変形によるエラーを克服することも可能である。
【００１０】
圧力測定装置の好ましい一実施形態において、コンタクトレンズ係合部が、角膜と圧力チャンバの柔軟膜との間を衛生的に分離するために使用され得る。張り測定部が、柔軟膜に配置されあるいは柔軟膜の一部を形成し、それによって圧力チャンバ内からの与圧に直接影響を受ける。次に、角膜のたわみによって、張り測定部にて対応する張りという結果になる。したがって、張りと眼内圧の相互関係が確立され得る。
【図面の簡単な説明】
【００１１】
本発明の一実施例を添付の図面を参照して一例として以下に説明する。
【図１】図１は、眼球と接触している圧力測定装置の一般的な外観図である。
【図２】図２は、眼球に取り付けられている圧力測定装置の断面図である。
【図３】図３は、眼球付近の圧力測定装置の断面分解組立図である。
【図４】図４は、圧力チャンバの垂直断面である。
【発明を実施するための形態】
【００１２】
図１は、圧力測定装置のアッセンブリを示す。前記アッセンブリは圧力チャンバ（５）を含み、外部吸引口（７）と張り測定部（１２）を有し、係合リング（１１）を介して強膜（１）に取り付けられている。
【００１３】
図２は、強膜（１）、角膜（２）及び眼球の一部を含む圧力測定装置のアッセンブリの垂直断面図を示す。圧力測定装置（５）は、張り測定部（１２）および透明部（６）を備える圧力チャンバ（１０）を有する。チャンバ（１０）内の圧力は圧力孔（８）によって可変である。柔軟膜（４）が周縁吸引チャネル（９）を有する係合リング（１１）を用いて強膜（１）に取り付けられる。角膜（２）は、軸アライメントのためのリング（１４）を有し周縁吸引チャネル（９）に係合されているコンタクトレンズ係合部（１３）に接触する。コンタクトレンズ係合部（１３）は柔軟膜（４）と角膜（２）と接触し、角膜（２）はチャンバ（１０）からの与圧を受ける。透明部(６)は、超音波及び干渉法による虹彩（３）の輪郭の調査を可能にさせる。
【００１４】
図３は、圧力測定装置の断面分解組立図を示す。
【００１５】
図４は、圧力チャンバの垂直断面図であり、圧力孔（８）、入口（７）、張りゲージ（４ａ）及び係合リング（１１）を示す。
【図１】
2018510754.tif 000003
【図２】
2018510754.tif 000004
【図３】
2018510754.tif 000005
【図４】
2018510754.tif 000006
【国際調査報告】
2018510754.tif 000007
2018510754.tif 000008
2018510754.tif 000009
(57)【要約】付着防止素材の多層被覆（３）を備える鍋釜類および調理用具（１）の方法であって、調理空洞（２）の範囲を定めている壁（７）の内側表面（７ｉ）の被覆の多層（４，５，６）の形成は適切な物質の適用とそれに続く適用される前記物質の前記層（４，５，６）の乾燥およびオーブンで焼く工程の循環的な繰り返しにより実行され、前記物質の少なくとも最終層（６）は付着防止物質を用いることにより得られる。前記方法は、鍋釜類（１）の調理空洞（２）を被覆する少なくとも最終層（６）の形成のための物質の適用の工程の前に、前記最終層（６）の形成のために、付加的な食用油または潤滑材として適用される液体物質を加える工程を備えることを特徴とする。
2018510680.tif 000002
【特許請求の範囲】
【請求項１】
付着防止素材の多層被覆（３）を備える鍋釜類および調理用具（１）の方法であって、
調理空洞（２）の範囲を定めている壁（７）の内側表面（７ｉ）の被覆の多層（４，５，６）の形成が、適切な被覆物質の適用とそれに続く前記層（４，５，６）の乾燥しオーブンで焼く工程の循環的な繰り返しによりなされ、前記被覆物質の少なくとも最終層（６）は付着防止物質を用いることにより得られ、鍋釜類（１）の調理空洞（２）を被覆する少なくとも最終層（６）の形成のための物質の適用の工程の前に、前記方法は付加的な食用油または潤滑材を、前記最終層（６）の形成のために適用される物質に加える工程を備えることを特徴とする方法。
【請求項２】
前記添加物の添加の工程は、液体状態において混合することにより行われることを特徴とする請求項１に記載の方法。
【請求項３】
前記食用油または潤滑材は植物性タイプであることを特徴とする請求項１または２に記載の方法。
【請求項４】
前記食用油はオリーブオイルであることを特徴とする請求項３に記載の方法。
【請求項５】
添加物としてオリーブオイルを加える前記工程は３％〜８％の間の割合で油を加えることにより実行される請求項４に記載の方法。
【請求項６】
オリーブオイルの前記添加割合は５％である請求項５に記載の方法。
【請求項７】
前記植物性の油は種オイル、とうもろこしオイルおよびピーナッツオイルの群から選ばれることを特徴とする請求項３に記載の方法。
【請求項８】
付着防止物質の前記層（６）はプラスチック素材から作られることを特徴とする請求項１に記載の方法。
【請求項９】
付着防止物質の前記層（６）がセラミック素材から作られることを特徴とする請求項１に記載の方法。
【発明の詳細な説明】
【技術分野】
【０００１】
本発明は鍋釜類および炊事用具の製造方法に関する。
【背景技術】
【０００２】
付着防止の鍋釜類および炊事用具の製造の先行技術は、ポリテトラフルオロエチレン（ＰＴＦＥ）として知られる減摩性の性質を有する物質の複数の連続的な層を適用し、オーブンで焼くことによる鍋釜類および炊事用具の調理空洞の壁の被覆を含む。
【０００３】
そのような鍋釜類および調理用具の最初の使用の前に、いくつかの製造業は、食用油を染み込ませた丸めたコットンでそれを拭くことにより、ユーザーがＰＴＦＥ被覆を滑らかにするべきであることを勧める。
【０００４】
食用油の目的はＰＴＦＥ層の微細な小孔を埋めることおよびその付着防止能力を向上させることであり、同様に、料理された食物へのそれの不浸透性をさらにより高めることである。
【０００５】
全てのユーザーがいつも使用の前に鍋釜類に油をひいているわけではない。それは注意またはケアの欠如により、または食物の準備におけるオイルと潤滑材の消費を最小限にする極度の試みに基づく食事関連の選択によるかもしれなく、それは、本発明の主問題の鍋釜類および炊事用具の型の購入の決定もしばしば含むかもしれない。
【０００６】
そのような怠慢は直面するかもしれない不利な点の理由であり、繰り返される使用事実を含み、上記の最初に準備された鍋釜類において、付着防止素材の層は、中、長時間の調理流動物の吸収および浸透により徐々に浸されるその孔が、鍋釜類の洗浄を徐々に効果的でないようにするように見える傾向にあり、その浄化に影響を与え得り、食品の味および付着防止層の見た目の外側の品質にさらに影響を与える。
【発明の概要】
【０００７】
本発明の技術的な目的はそのような不利な点を克服することである。
その目的の一部として、本発明の第１目的は、その製品の時間から、鍋釜類において実施され得る解決策を立案することである。
【図面の簡単な説明】
【０００８】
本目的によれば、提案された解決策は、その技術的特徴がこのクレームに明らかに示され、その有利な点が後述および添付図の参照における詳細な説明でより明らかである製造方法であり、それは、単なる例示の方法として好ましい実施形態を示し、本発明の目的を限定しない。
【０００９】
【図１】図１は鍋釜類の立面図の概略部分横断面図である。
【図２】図２は図１の鍋釜類の拡大詳細である。
【図３】図３は図１に記載の型の鍋釜類の製造方法のいくつかの重要な工程の概略ブロック図である。
【発明を実施するための形態】
【００１０】
添付図に示すように、図１において、数字の１は、それ自身の多層構造を有する付着防止素材で作られた薄い被覆３を備える調理空洞２を含む既知の型の鍋釜類を示す。
【００１１】
調理空洞２のための付着防止素材で作られた被覆を備えた鍋釜類または調理用具のそのような型の製造のため、出願人は、相次いで鍋釜類１に重ね合わされ適用された多層４，５および６における前記被覆３の形成を含む製造方法を適用した（図２）。
【００１２】
実際には、鍋釜類１の調理空洞２の壁７の内側表面７ｉは、適切な被覆物質の適用、それに続く適用された物質の乾燥しオーブンで焼く工程、の循環的な繰り返しを含む被覆３の形成を必要とし（図３に概略的に示す）、順々に工程は複数回繰り返され、最も適切な素材を使った各時間は調理用具１の内側空洞２の被覆の構造のための望ましい層の数に依存する。
【００１３】
被覆層の適用は様々な方法で実施されてよく、それらは知られており、例えば、これに限られないが、適切な液体物質のスプレーまたはロール、または同等の被覆紛体の堆積の方法である。
【００１４】
上記の発明は、明白な工業適用の影響を受けやすい。それは修正されてもよく、添付のクレームの範囲から外れないいくつかの方法により改造されてもよい。さらに、本発明の全ての詳細は技術的に同等の要素により代用されてもよい。
【００１５】
上記したように、使用される付着防止素材は様々なタイプでもよく、たとえば、たまたま付着防止素材がポリテトラフルオロエチレン（ＰＴＦＥ）類の時は、プラスチックでもよく、または例えばセラミック素材が使われる場合には鉱物でもよいことは強調され、より、特に、まだ説明的であり、限定されない。
【図１】
2018510680.tif 000003
【図２】
2018510680.tif 000004
【図３】
2018510680.tif 000005
【国際調査報告】
2018510680.tif 000006
2018510680.tif 000007
2018510680.tif 000008
2018510680.tif 000009